(57)【要約】【課題】患者の個人差等によって細分化され、かつ最適化されたクリニカルパスを生成可能にする。【解決手段】標準的な診療計画を示すクリニカルパスとして、病名毎に１つのクリニカルパスを準備するのではなく、患者の年齢、性別、既往歴等の患者特性によって細分化されたクリニカルパスをパスマスタＤＢ１６に登録する。患者のカルテデータ中の患者の病名とその患者の患者特性とからパスマスタＤＢ１６からその患者に適用するクリニカルパスを読み出し、その読み出したクリニカルパスを患者の診療計画に使用する。患者の病態によってクリニカルパスから外れた診療計画を実施した場合には、クリニカルパス評価手段３２よりクリニカルパスの変更点の情報を入力する。この変更点の情報をパスマスタＤＢ１６に登録されているクリニカルパスにフィードバックしてクリニカルパスを最適化する。【選択図】      図２
2005149084.tif 000002
【特許請求の範囲】
【請求項１】
患者の入院から退院までの標準的な診療計画を示す病名毎のクリニカルパスであって、患者の年齢、性別、及び既往歴のうちの少なくとも１つの情報を含む患者特性によって細分化されたクリニカルパスが登録されたパスマスタデータベースと、
患者の病名と該患者の患者特性とに基づいて前記パスマスタデータベースから該患者に適用するクリニカルパスを読み出す読出手段と、
前記読出手段によって読み出されたクリニカルパスを適用する患者に対して実際に実施されたクリニカルパスの情報、又は前記読み出されたクリニカルパスと実際に実施されたクリニカルパスとの変更点の情報を入力する入力手段と、
前記入力手段で入力された情報に基づいて新たなクリニカルパスを生成するマスタ生成手段と、
前記マスタ生成手段によって生成されたクリニカルパスによって前記パスマスタデータベースに登録されている対応するクリニカルパスを更新し、又は前記マスタ生成手段によって生成されたクリニカルパスを新たなクリニカルパスとして登録するマスタ更新登録手段と、
を備えたことを特徴とする電子カルテシステム。
【請求項２】
前記マスタ生成手段は、前記入力手段から入力された同じ患者特性を有する複数の患者に対して実際に実施された複数のクリニカルパスの情報、又は複数の変更点の情報の平均を演算し、その演算した平均に基づいて新たなクリニカルパスを生成することを特徴とする請求項１に記載の電子カルテシステム。
【請求項３】
患者の入院から退院までの標準的な診療計画を示す病名毎のクリニカルパスが登録されたパスマスタデータベースと、
前記パスマスタデータベースに登録された各クリニカルパスを修正するための修正情報が登録された修正情報データベースであって、患者の病名と該患者の年齢、性別、及び既往歴のうちの少なくとも１つの情報を含む患者特性とに基づいて各クリニカルパスごとに細分化された修正情報が登録された修正情報データベースと、
患者の病名に基づいて前記パスマスタデータベースから該患者に適用するクリニカルパスを読み出す第１の読出手段と、
前記患者の病名及び患者特性に基づいて前記修正情報データベースから対応する修正情報を読み出す第２の読出手段と、
前記第１の読出手段によって読み出されたクリニカルパスと前記第２の読出手段によって読み出された修正情報とに基づいて患者に適用するクリニカルパスを作成するクリニカルパス作成手段と、
前記クリニカルパス作成手段によって作成されたクリニカルパスを適用する患者に対して実際に実施されたクリニカルパスの情報、又は前記読み出されたクリニカルパスと実際に実施されたクリニカルパスとの変更点の情報を入力する入力手段と、
前記入力手段で入力された情報に基づいて新たな修正情報を生成する修正情報生成手段と、
前記修正情報生成手段によって生成された修正情報によって前記修正情報データベースに登録されている対応する修正情報を更新し、又は前記修正情報生成手段によって生成された修正情報を新たな修正情報として登録する修正情報更新登録手段と、
を備えたことを特徴とする電子カルテシステム。
【請求項４】
前記修正情報生成手段は、前記入力手段から入力された同じ患者特性を有する複数の患者に対して実際に実施された複数のクリニカルパスの情報、又は複数の変更点の情報の平均を演算し、その演算した平均に基づいて新たな修正情報を生成することを特徴とする請求項３に記載の電子カルテシステム。
【請求項５】
前記修正情報は、クリニカルパスによって計画されている入院日数の増減等を行うためのウエイト情報であることを特徴とする請求項３又は４に記載の電子カルテシステム。
【発明の詳細な説明】
【技術分野】
【０００１】
本発明は電子カルテシステムに係り、特に患者の診療計画を管理することが可能な電子カルテシステムに関する。
【背景技術】
【０００２】
現在、患者診療の標準化を目的として、主に入院患者を対象として、患者の入院から退院までの標準的な診療計画をクリニカルパスとして、患者に適用することが行われている（特許文献１）。
【０００３】
クリニカルパス自体は、一般に電子カルテとは独立に、運用できるものであるが、クリニカルパスが電子化されることにより、電子カルテにおいても多く使われるようになった。
【０００４】
クリニカルパスは、疾患にあわせて診療のスケジュールが決めてあり、同じ疾患の患者には、同じクリニカルパスが適用される。
【０００５】
電子カルテでは、患者の疾患に応じて、対応するクリニカルパスに基づいて診療のスケジュールを立て、そのスケジュールに従って診療行為を管理する。
【特許文献１】特開２００２−１１４０４３５号公報
【発明の開示】
【発明が解決しようとする課題】
【０００６】
しかしながら、疾患毎に適用するクリニカルパスでは、患者の容態の変化や、治癒の程度の個人差等によって、診療計画から現実の診療が外れる、いわゆるバリアンスが発生することが多い。クリニカルパスによる診療計画から現実の診療が外れることは、医療の標準化や効率化を図る上で障害となり、クリニカルパスの運用に支障を来すという問題がある。
【０００７】
本発明はこのような事情に鑑みてなされたもので、患者の個人差等によって細分化され、かつ最適化されたクリニカルパスを生成することができ、これによりバリアンスの少ない、より患者の診療の実態に適した診療計画を立てることができる電子カルテシステムを提供することを目的とする。
【課題を解決するための手段】
【０００８】
前記目的を達成するために請求項１に係る電子カルテシステムは、患者の入院から退院までの標準的な診療計画を示す病名毎のクリニカルパスであって、患者の年齢、性別、及び既往歴のうちの少なくとも１つの情報を含む患者特性によって細分化されたクリニカルパスが登録されたパスマスタデータベースと、患者の病名と該患者の患者特性とに基づいて前記パスマスタデータベースから該患者に適用するクリニカルパスを読み出す読出手段と、前記読出手段によって読み出されたクリニカルパスを適用する患者に対して実際に実施されたクリニカルパスの情報、又は前記読み出されたクリニカルパスと実際に実施されたクリニカルパスとの変更点の情報を入力する入力手段と、前記入力手段で入力された情報に基づいて新たなクリニカルパスを生成するマスタ生成手段と、前記マスタ生成手段によって生成されたクリニカルパスによって前記パスマスタデータベースに登録されている対応するクリニカルパスを更新し、又は前記マスタ生成手段によって生成されたクリニカルパスを新たなクリニカルパスとして登録するマスタ更新登録手段と、を備えたことを特徴としている。
【０００９】
即ち、標準的な診療計画を示すクリニカルパスとして、病名毎に１つのクリニカルパスを準備するのではなく、患者の年齢、性別、及び既往歴のうちの少なくとも１つの情報を含む患者特性によって細分化されたクリニカルパスを準備し、パスマスタデータベースに登録する。
【００１０】
患者の病名とその患者の患者特性とに基づいて前記パスマスタデータベースから該患者に適用するクリニカルパスを読み出し、その読み出したクリニカルパスを患者の診療計画に使用するが、患者の病態によって前記クリニカルパスから外れた診療計画を実施した場合には、実際に実施されたクリニカルパスの情報、又は前記読み出されたクリニカルパスとの変更点の情報を入力する。そして、この入力した情報をパスマスタデータベースに登録されているクリニカルパスにフィードバックしてクリニカルパスの最適化を図り、また、病名と患者特性との組み合わせが新規の場合には、新たなクリニカルパスとしてパスマスタデータベースに登録する。
【００１１】
このようにしてパスマスタデータベースに登録されたクリニカルパスは、バリアンスの少ない、より患者に適したクリニカルパスとなる。
【００１２】
請求項２に示すように請求項１に記載の電子カルテシステムにおいて、前記マスタ生成手段は、前記入力手段から入力された同じ患者特性を有する複数の患者に対して実際に実施された複数のクリニカルパスの情報、又は複数の変更点の情報の平均を演算し、その演算した平均に基づいて新たなクリニカルパスを生成することを特徴としている。
【００１３】
同じ病名の同じ患者特性を有する複数の患者に対して実際に実施された複数のクリニカルパスの情報、又は複数の変更点の情報の平均に基づいて新たなクリニカルパスを生成し、このクリニカルパスによってパスマスタデータベースに登録されているクリニカルパスを更新することで、サンプル数の多い、より最適化されたクリニカルパスにすることができる。
【００１４】
請求項３に係る電子カルテシステムは、患者の入院から退院までの標準的な診療計画を示す病名毎のクリニカルパスが登録されたパスマスタデータベースと、前記パスマスタデータベースに登録された各クリニカルパスを修正するための修正情報が登録された修正情報データベースであって、患者の病名と該患者の年齢、性別、及び既往歴のうちの少なくとも１つの情報を含む患者特性とに基づいて各クリニカルパスごとに細分化された修正情報が登録された修正情報データベースと、患者の病名に基づいて前記パスマスタデータベースから該患者に適用するクリニカルパスを読み出す第１の読出手段と、前記患者の病名及び患者特性に基づいて前記修正情報データベースから対応する修正情報を読み出す第２の読出手段と、前記第１の読出手段によって読み出されたクリニカルパスと前記第２の読出手段によって読み出された修正情報とに基づいて患者に適用するクリニカルパスを作成するクリニカルパス作成手段と、前記クリニカルパス作成手段によって作成されたクリニカルパスを適用する患者に対して実際に実施されたクリニカルパスの情報、又は前記読み出されたクリニカルパスと実際に実施されたクリニカルパスとの変更点の情報を入力する入力手段と、前記入力手段で入力された情報に基づいて新たな修正情報を生成する修正情報生成手段と、前記修正情報生成手段によって生成された修正情報によって前記修正情報データベースに登録されている対応する修正情報を更新し、又は前記修正情報生成手段によって生成された修正情報を新たな修正情報として登録する修正情報更新登録手段と、を備えたことを特徴としている。
【００１５】
即ち、パスマスタデータベースには、標準的な診療計画を示すクリニカルパスとして、病名毎に１つのクリニカルパスを登録し、また、修正情報データベースには、各クリニカルパスを修正するための修正情報を登録する。この修正情報は、患者の病名と該患者の年齢、性別、及び既往歴のうちの少なくとも１つの情報を含む患者特性とに基づいて各クリニカルパスごとに細分化されている。
【００１６】
患者の病名に基づいて前記パスマスタデータベースからクリニカルパスを読み出し、一方、その患者の患者特性に基づいて前記修正情報データベースから修正情報を読み出し、前記読み出したクリニカルパスを修正情報で修正して、その患者に適用するクリニカルパスを作成する。
【００１７】
このようにして作成されたクリニカルパスは、患者の診療計画に使用されるが、患者の病態によって前記クリニカルパスから外れた診療計画を実施した場合には、実際に実施されたクリニカルパスの情報、又は前記読み出されたクリニカルパスとの変更点の情報を入力する。そして、この入力した情報を修正情報データベースに登録されている修正情報にフィードバックして修正情報の最適化を図り、また、病名と患者特性との組み合わせが新規の場合には、新たな修正情報として修正情報データベースに登録する。
【００１８】
このようにして修正情報データベースに登録された修正情報は、パスマスタデータベースに登録されたクリニカルパスを、より患者に適したクリニカルパスとなるように修正することができる。
【００１９】
請求項４に示すように請求項３に記載の電子カルテシステムにおいて、前記修正情報生成手段は、前記入力手段から入力された同じ患者特性を有する複数の患者に対して実際に実施された複数のクリニカルパスの情報、又は複数の変更点の情報の平均を演算し、その演算した平均に基づいて新たな修正情報を生成することを特徴としている。
【００２０】
同じ病名の同じ患者特性を有する複数の患者に対して実際に実施された複数のクリニカルパスの情報、又は複数の変更点の情報の平均に基づいて新たな修正情報を生成し、この修正情報によって修正情報データベースに登録されている修正情報を更新することで、サンプル数の多い、より最適化された修正情報にすることができる。
【００２１】
請求項５に示すように請求項３又は４に記載の電子カルテシステムにおいて、前記修正情報は、クリニカルパスによって計画されている入院日数の増減等を行うためのウエイト情報であることを特徴としている。
【発明の効果】
【００２２】
上記構成の本発明によれば、患者の年齢、性別、既往歴等の患者特性によって細分化されたクリニカルパスを患者に適用できるようにしたため、患者の個人差等によるバリアンスの発生を減少させることができ、特に患者の病態によりクリニカルパスから外れた診療計画を、次回の別の患者のクリニカルパスにフィードバックするようにしたため、より患者に適したクリニカルパスを生成することができ、診療の実態に適した診療計画を立てることができる。
【発明を実施するための最良の形態】
【００２３】
以下添付図面に従って本発明に係る電子カルテシステムの好ましい実施の形態について詳説する。
【００２４】
図１は本発明に係る電子カルテシステムのハードウェア構成例を示すブロック図である。
【００２５】
図１に示すように電子カルテシステム１は、主として各構成要素の動作を制御する中央処理装置（ＣＰＵ）１０と、装置の制御プログラムが格納されたり、プログラム実行時の作業領域となる主メモリ１２と、オペレーティングシステム（ＯＳ）、周辺機器のデバイスドライバ、後述するクリニカルパスの生成、更新登録等を行うためのプログラムを含む各種のアプリケーションソフト、患者毎のカルテデータ等が格納されるハードディスク装置１４と、クリニカルパスが登録されたパスマスタデータベース（パスマスタＤＢ）１６と、表示用データを一時記憶する表示メモリ１８と、この表示メモリ１８からのカルテデータ、クリニカルパスデータ、画像データ等によりカルテ、クリニカルパス、画像等を表示するＣＲＴモニタや液晶モニタ等のモニタ装置２０と、キーボード２２と、位置入力装置としてのマウス２４、マウス２４の状態を検出してモニタ装置２０上のマウスポインタの位置やマウス２４の状態等の信号をＣＰＵ１０に出力するマウスコントローラ２６と、プリンタ２と接続してカルテやクリニカルパス等のプリントデータの出力が可能なＵＳＢ（Universal Serial Bus）などのインターフェース２８と、上記各構成要素を接続するバス３０とから構成されている。
【００２６】
図２は本発明に係る電子カルテシステムの実施の形態を示す構成図であり、図３はマスタの更新の状態遷移図である。
【００２７】
これらの図面に示すように、患者が入院すると、患者毎のカルテデータに、パスマスタＤＢ１６に登録されているクリニカルパスのマスタを適用する。即ち、パスマスタＤＢ１６には、病名毎に標準化されたクリニカルパスであって、患者の年齢（又は年代）、性別、既往歴、薬歴等の患者特性によって細分化されたクリニカルパスが登録されており、入院する患者の病名及び上記患者特性を、その患者のカルテデータから読み出し、又はキーボード２２やマウス２４で入力することにより、パスマスタＤＢ１６から対応するクリニカルパスのマスタを読み出す。
【００２８】
マスタは、抽象的な計画であるので、実際の患者の入退院の日付に合わせた計画となるクリニカルパスのインスタンスを生成する。クリニカルパスのインスタンスは、モニタ装置２０に表示したり、プリンタ２でプリント出力することができる。
【００２９】
図４（Ａ）は、病名が虫垂炎で、３９歳の男性が入院した場合のクリニカルパスのマスタの一例を示している。この患者は、高血圧と糖尿病を持っており、マスタでは、７日で退院する予定の診療計画となっている。
【００３０】
図４（Ｂ）は、上記クリニカルパスをそのまま適用した場合を示している。
【００３１】
図２において、患者に適用したクリニカルパスの、バリアンスの程度を評価するのが、クリニカルパス評価手段３２であり、クリニカルパス評価手段３２は、パスマスタＤＢ１６から読み出されたクリニカルパスと、このクリニカルパスを適用する患者に対して実際に実施されたクリニカルパスとの変更点の情報を入力するキーボード２２、マウス２４等の入力手段や、その入力した変更点の情報の平均を算出する演算手段等によって構成される。
【００３２】
クリニカルパス評価手段３２での評価結果（クリニカルパスの変更点などの情報）は、ＣＰＵ１０によって処理される。ＣＰＵ１０は、図２ではマスタ生成手段３４となっている。マスタ生成手段３４は、評価結果に基づいてマスタの変更量を演算し、マスタの修整を行い、新たなマスタとしてパスマスタＤＢ１６に登録する機能を有し、新たに生成されたマスタは、パスマスタＤＢ１６に登録される。
【００３３】
パスマスタＤＢ１６は、前述したように病名だけでなく、患者の年齢（もしくは年代）、性別、既往歴、薬歴等の患者特性をキーにして、該当するクリニカルパスのマスタを検索することができる。尚、この様な幾つかの複数のキーから該当するデータを検索することは、ＤＢＭＳ（データべースマネージメントシステム）では、一般的な機能である。
【００３４】
例えば、患者Ａが入院し、クリニカルパスを適用し、バリアンスが発生して入院期間が延長し、後に退院したとする。患者Ａの年齢、性別、既往歴などの情報は、基本的な患者情報であるため、電子カルテに既に登録されており、これを使用することができる。
【００３５】
クリニカルパス評価手段３２は、患者情報と、クリニカルパスからの患者の入院延長期間、及び過去の同じクリニカルパスを適用した同年代、同性の患者のバリアンスの情報から、同じ年齢、性別、既往歴における患者Ａと同じ疾患のクリニカルパスのバリアンスの平均を演算する。そして、マスタ生成手段３４において、クリニカルパス評価手段３２の演算結果（平均的な延長期間等）を上乗せしたクリニカルパスを新たに生成し、患者情報をキーにして、前記生成したクリニカルパスによりパスマスタＤＢ１６に登録されている対応するクリニカルパスを更新する。
【００３６】
そして、次に、同じ病名、患者特性を有する患者Ｂが入院した場合には、更新されたクリニカルパスを適用することで、より無理のない診療計画を立案することが可能となる。
【００３７】
尚、クリニカルパスの評価、更新は、患者に適用する毎に実施しても良いし、あるいは、何人かの患者に適用した後に纏めて行っても良い。
【００３８】
図５（Ａ）は、病名が虫垂炎で、患者特性として、年齢３８歳、男性、糖尿病と高血圧の既往歴、及びインスリン常用の薬歴を持っている患者が入院した場合のクリニカルパスのインスタンスの一例を示している。
【００３９】
図５（Ｂ）は、図５（Ａ）のクリニカルパスを適用した患者の診療計画にバリアンスが発生した場合に関して示している。即ち、図５（Ｂ）は、この患者の手術後の状態によって、予定されていた７日の入院期間が９日に延長した例を示している。糖尿病等の基礎疾患を持つ患者では、手術後の治癒が思わしくない場合が多い。この様に、患者が基礎疾患を持っている場合には、バリアンスが発生する可能性が高いが、実際どれだけ期間が延長するかは、理論的に決定することができず、医療機関の医療体制等によって変わり得る。
【００４０】
図６はパスマスタＤＢに登録されている虫垂炎用パスマスタを、バリアンスの発生によって新たな虫垂炎用パスマスタに更新した例を示している。
【００４１】
即ち、パスマスタＤＢに登録されている虫垂炎用パスマスタのうちの、３０代男性、糖尿病、高血圧の患者特性を有する患者に適用されるものを、同じ患者特性を有する８人の患者に適用し、それぞれバリアンス（３日延長が３人、２日延長が２人、１日延長が３人）が発生した場合には、これらのバリアンスにおける平均延長日数２日を算出し、図６（Ｂ）に示すように７日の入院期間を９日に延長した新たな虫垂炎用パスマスタを生成する。そして、図６（Ａ）の入院期間７日の虫垂炎用パスマスタを、図６（Ｂ）の入院期間９日の虫垂炎用パスマスタに更新する。
【００４２】
尚、図６（Ａ）の虫垂炎用パスマスタが、患者特性によって細分化されたものでない場合には、図６（Ａ）の虫垂炎用パスマスタは更新されず、図５（Ｂ）の新たに生成された虫垂炎用パスマスタは、パスマスタＤＢに新たに登録される。これにより、最初は１つの虫垂炎用パスマスタであっても、運用していくうちに患者特性によって細分化されたパスマスタを登録することができる。
【００４３】
図７は本発明に係る電子カルテシステムの他の実施の形態を示す構成図であり、図８はベースマスタにウエイトを作用させた場合の状態遷移図である。
【００４４】
図２に示した実施の形態では、病名ごとに患者特性によって細分化されたクリニカルパスをパスマスタＤＢ１６に登録したが、図７に示す実施の形態では、パスマスタＤＢ１７には、病名ごとに１つのクリニカルパスを登録し、また、病名ごとのクリニカルパスを患者特性に応じて修正するための修正情報（ウエイト）をウエイトＤＢ１９に登録する。
【００４５】
患者が入院すると、カルテデータの患者情報に基づいて、その患者の病名に適用するクリニカルパスを、パスマスタＤＢ１７から読み出すとともに、その患者の病名及び患者特性に対応して登録されているウエイトを、ウエイトＤＢ１９から読み出す。
【００４６】
パスマスタＤＢから読み出されたクリニカルパスは、ウエイトＤＢ１９から読み出されたウエイトによって修正された後、実際の患者の入退院の日付に合わせた計画となるクリニカルパスのインスタンスとして生成される。
【００４７】
クリニカルパス評価手段３３は、患者情報と、クリニカルパスからの患者の入院延長期間、及び過去の同じクリニカルパスを適用した同年代、同性の患者のバリアンスの情報から、同じ年齢、性別、既往歴における他の患者と同じ疾患のクリニカルパスのバリアンスの平均を演算する。ウエイト算出手段３５は、クリニカルパス評価手段３３の演算結果（平均的な延長期間等）から、患者特性に対応するウエイトを生成する。生成されたウエイトは、病名及び患者特性をキーにしてウエイトＤＢ１９に登録される。
【００４８】
この実施の形態の場合には、パスマスタは、病名別に一般的なものを用意するだけでよく、同じ病名の別の患者がきた場合には、その患者の患者特性に応じて、ウエイトＤＢ１９より適用するウエイトを検索し、病名別のパスマスタにウエイトを作用させて患者に適用する。
【００４９】
図９（Ａ）は、病名が虫垂炎のクリニカルパスの（ベース）マスタの一例を示しており、図９（Ｂ）はバリアンスの解析結果に基づくウエイトによってベースマスタを修正した、３０代男性、糖尿病、高血圧の患者特性を有する患者に適用するクリニカルパスを示している。
【図面の簡単な説明】
【００５０】
【図１】本発明に係る電子カルテシステムのハードウェア構成例を示すブロック図
【図２】本発明に係る電子カルテシステムの実施の形態を示す構成図
【図３】マスタの更新の状態遷移図
【図４】虫垂炎用パスマスタを所定の患者特性を有する患者にそのまま適用した場合の例を示す図
【図５】所定の患者特性を有する患者に適用したクリニカルパスのインスタンスと、このクリニカルパスを適用した患者の診療計画にバリアンスが発生した場合を示す図
【図６】パスマスタＤＢに登録されている虫垂炎用パスマスタをバリアンスの発生によって新たな虫垂炎用パスマスタに更新した例を示す図
【図７】本発明に係る電子カルテシステムの他の実施の形態を示す構成図
【図８】ベースマスタにウエイトを作用させた場合の状態遷移図
【図９】ベースマスタと、バリアンスの解析結果に基づくウエイトによって前記ベースマスタを修正した所定の患者特性を有する患者に適用するクリニカルパスを示す図
【符号の説明】
【００５１】
１…電子カルテシステム、１０…中央処理装置（ＣＰＵ）、１２…主メモリ、１４…ハードディスク装置、１６、１７…パスマスタＤＢ、１９…ウエイトＤＢ、２０…モニタ装置、２２…キーボード、２４…マウス、３２、３３…クリニカルパス評価手段、３４…マスタ生成手段、３５…ウエイト算出手段
【図１】
2005149084.tif 000003
【図２】
2005149084.tif 000004
【図３】
2005149084.tif 000005
【図４】
2005149084.tif 000006
【図５】
2005149084.tif 000007
【図６】
2005149084.tif 000008
【図７】
2005149084.tif 000009
【図８】
2005149084.tif 000010
【図９】
2005149084.tif 000011